(57)【特許請求の範囲】
【請求項１】
駆動源の主軸に装着された主動ギアと、主動ギアにより回転される従動ギアを備えた回転体と、回転体に接続された装飾体と、からなる遊技機の可動装飾装置であって、
前記主軸を回転方向に遊びを設けて主動ギアの中心孔に嵌め込んだうえに、回転体にはクリックストップ機構を配設して、
クリックストップ機構の作動により主動ギアを遊びの分だけ該主動ギアが回転する方向に高速回転させ、前記遊びの分だけ位相を前進させることにより、前記主軸が回転し前記主動ギアに再度当接するまでの間、該主動ギアにより回転される従動ギアを備えた回転体の回転を一時停止させることで、装飾体の回転を一時停止させるようにしたことを特徴とする遊技機の可動装飾装置。
【請求項２】
主軸にキーを突設し、前記中心孔にはキーの回転方向の幅よりも広幅のキー溝を形成して、主軸を回転方向に遊びを設けて主動ギアの中心孔に嵌め込んだことを特徴とする請求項１に記載の遊技機の可動装飾装置。
【請求項３】
主軸は平坦面を有するＤカット軸とするとともに、前記中心孔には１８０°より広角で前記平坦面に当接可能な側面を設けて、前記Ｄカット軸を回転方向に遊びをもって主動ギアの中心孔に嵌め込んだことを特徴とする請求項１に記載の遊技機の可動装飾装置。
【請求項４】
クリックストップ機構として、回転体に係合可能なレバーを配設したうえに、このレバーの先端には突起又は係合凹部を設け、前記回転体には従動ギアと同心の回転円盤を設け、この回転円盤の外周に前記突起が滑り込み可能な係合凹部又は前記係合凹部に滑り込み可能な突起を設けたことを特徴とする請求項１〜３の何れかに記載の遊技機の可動装飾装置。
【発明の詳細な説明】
【技術分野】
【０００１】
本発明は、遊技機のセンター役物に用いられる可動装飾装置に関するものである。
【背景技術】
【０００２】
パチンコ機の遊技領域の中央には、液晶表示装置の周囲を覆うセンター役物が配設されている（特許文献１）。センター役物は、遊技の興趣を盛り上げるための可動装飾装置を備えている。従来の可動装飾装置において、装飾体が回転するようなものである場合には、回転速度を変化させたり、回転を一旦停止してその後再回転させたりするためには、通常駆動源自体を電気的に制御したり停止、再駆動させたりする必要があった。
【０００３】
しかしながら、駆動源を電気的に制御するには別途プリント基板等の制御部品が必要となって、装置がコスト高になってしまう。また、駆動源を加速、減速したり、あるいは駆動と停止とを繰り返したりする場合には、駆動源に負荷が繰り返しかかって、その寿命を低下させてしまうという問題があった。
【先行技術文献】
【特許文献】
【０００４】
【特許文献１】特開２００９−１２５１１６号公報
【発明の概要】
【発明が解決しようとする課題】
【０００５】
本発明は、上記した従来の問題点に鑑み、駆動源を電気的に制御を行わずとも装飾体の回転を加速、減速させたり、駆動と停止とを行うことができる遊技機の可動装飾装置を提供することを課題とする。
【課題を解決するための手段】
【０００６】
上記の課題を解決するためになされた本発明に係る遊技機の可動装飾装置は、駆動源の主軸に装着された主動ギアと、主動ギアにより回転される従動ギアを備えた回転体と、回転体に接続された装飾体と、からなる遊技機の可動装飾装置であって、
前記主軸を回転方向に遊びを設けて主動ギアの中心孔に嵌め込んだうえに、回転体にはクリックストップ機構を配設して、
クリックストップ機構の作動により主動ギアを遊びの分だけ該主動ギアが回転する方向に高速回転させ、前記遊びの分だけ位相を前進させることにより、前記主軸が回転し前記主動ギアに再度当接するまでの間、該主動ギアにより回転される従動ギアを備えた回転体の回転を一時停止させることで、装飾体の回転を一時停止させるようにしたことを特徴とするものである。
【０００７】
上記した発明において、主軸にキーを突設し、前記中心孔にはキーの回転方向の幅よりも広幅のキー溝を形成して、主軸を回転方向に遊びを設けて主動ギアの中心孔に嵌め込むことができ、主軸は平坦面を有するＤカット軸とするとともに、前記中心孔には１８０°より広角で前記平坦面に当接可能な側面を設けて、前記Ｄカット軸を回転方向に遊びをもって主動ギアの中心孔に嵌め込むことができる。
【０００８】
また、クリックストップ機構として、回転体に係合可能なレバーを配設したうえに、このレバーの先端には突起又は係合凹部を設け、前記回転体には従動ギアと同心の回転円盤を設け、この回転円盤の外周に前記突起が滑り込み可能な係合凹部又は前記係合凹部に滑り込み可能な突起を設けることができる。
【発明の効果】
【０００９】
請求項１に係る可動装飾装置は、クリックストップ機構が作動した瞬間に遊びの分だけ主動ギアが瞬間的に主動ギアが回転する方向に回転されるので、主軸が遊びの分回転されて主動ギアにより回転される従動ギアを備えた回転体が再び回転されるまでの時間、回転体に接続された装飾体の回転を一時停止させることができる。よって、駆動源を電気的に制御せずとも装飾体を一時停止させることができるという効果を奏することができる。
【００１０】
請求項２に係る発明は、キーとキー溝との間に設けた遊びの分だけ主動ギアを主動ギアが回転する方向に高速回転させることができるので、主動ギアが主軸により再度回転されるまでの間装飾体の回転を停止することができる。
請求項３に係る発明は、Ｄカット軸の平坦面と中心孔側面との間に設けた遊びの分だけ主動ギアを主動ギアが回転する方向に高速回転させることができるので、主動ギアが主軸により再度回転されるまでの間装飾体の回転を停止することができる。
請求項４に係る発明は、突起が係合凹部に嵌め込まれた瞬間に、遊びの分だけ主動ギアを主動ギアが回転する方向に高速回転させることができるので、主動ギアが再回転されるまでの時間装飾体の回転を停止することができる。
【図面の簡単な説明】
【００１１】
【図１】本発明に係る可動装飾装置を示す正面図である。
【図２】突起が係合凹部直前にある状態の可動装飾装置の背面図である。
【図３】突起が係合凹部に入る途中の可動装飾装置の背面図である。
【図４】主動ギアが前方に移動完了した状態の可動装飾装置の背面図である。
【図５】キー溝が移動中である可動装飾装置の背面図である。
【図６】キー溝が移動完了した状態の可動装飾装置の背面図である。
【図７】突起が係合凹部から脱出した状態の可動装飾装置の背面図である。
【図８】時計回り方向の通常の回転におけるキーとキー溝の拡大図である。
【図９】キー溝が瞬間的に移動される途中状態のキーとキー溝の拡大図である。
【図１０】キー溝が瞬間的に移動完了した状態の拡大図である。
【図１１】Ｄカット軸による通常の回転状態を説明する拡大図である。
【図１２】中心孔が回転移動途中である要部の拡大図である。
【図１３】中心孔が回転移動完了した要部の拡大図である。
【発明を実施するための形態】
【００１２】
以下に、本発明の実施形態に付いて説明する。
図１、２は、本発明に係る可動装飾装置を示す図であって、１は駆動源であるモータ（図示していない）の主軸であり、この主軸１に主動ギア８が装着されている。２は回転体、６は回転体２の回転軸２１に接続された三日月状の装飾体である。主軸１は主軸外周面から突出したキー１１を有し、このキー１１は、主動ギア８の中心孔８１に設けたキー溝８２に遊嵌されている。回転体２は、従動ギア３と、従動ギア３と同心の回転円盤４とからなり、回転円盤４は外周に係合凹部２４を有している。係合凹部２４の両側は、傾斜部２５となっている。  
【００１３】
５はレバーであって、このレバー５は一端の支軸５１を中心に回動し、先端には前記係合凹部２４に入出可能な円柱状の突起５２を有している。この突起５２は図示を省略したバネにより係合凹部２４に入り込む方向に付勢されている。バネは鍵部５３にかけられる。付勢された突起５２と係合凹部２４とによりクリックストップ機構が形成されている。なお、突起５２を回転円盤側に設け、係合凹部２４をレバー側に設けることもできる。また、クリックストップ機構として、Ｖ字状の谷と、この谷の方に付勢されたピンとからなるものなど、公知の機構を用いることができる。
【００１４】
クリックストップ機構による回転停止について、以下に説明する。
図２において、従動ギア３は主軸１の主動ギア８により反時計回りに回転されていて、これによって回転円盤４と装飾体６もともに反時計回りに回転されており、突起５２は係合凹部２４に入り込む直前である。突起５２が係合凹部２４に差し掛かると突起５２は傾斜部２５を滑って、図３の状態を経て、図４に示すように係合凹部２４に嵌り込む。傾斜部２４は突起５２の滑り込みを容易とするため角度の急なものとするのが望ましい。さらに主軸１の回転が続くと、図５、６の状態を経て、突起５２は傾斜部２５を上方に滑って、図７に示すような係合凹部２４から脱出した状態となる。
【００１５】
突起５２が係合凹部２４に入出する間の状態を、図８〜１０を用いてさらに詳細に説明する。図８は、突起５が係合凹部２４に入る前の通常の回転状態であって、キー１１の前側側面１２がキー溝８２の前側側面８６を押圧しており、主動ギア８は時計回りに回転されている。このとき、キー１１の後側側面１３とキー溝８２の後側側面８７との間には遊び（ガタ、隙間）Ｓが存在する。
【００１６】
そして、突起５２が係合凹部２４の傾斜部２５に差し掛かったとたん、突起５２は付勢力により傾斜部２５を下って係合凹部２４に入り込む。このときキー溝８２の前側側面８６はキー１１の前側側面１２による押圧から離れて、図９の状態を経て図１０の状態に瞬時に移行してする。図１０においては、キー１１の後側側面１３はキー溝８２の後側側面８７に当接されており、キー溝８２の後側側面８６とキー１１の前側側面１２との間は、遊びＳの分だけ離間されている。すなわち、遊びＳの分だけ主動ギア８は瞬時に前進回転（回転正方向に回転）され、これとともに装飾体６も瞬時に回転される。
【００１７】
そして、キー１１の前側側面１２がキー溝８２の後側側面１３に当接されるまでの間、すなわち図４の状態から図６の状態に移行されるまでの時間、回転体２の回転は停止されるので装飾体６の回転移動も一時停止されることとなる。なおこの場合、主動ギア８と従動ギア３との間のバックラッシュは特に必要ないが、あってもよい。図８の状態に至った後は、突起５２が係合凹部２４から抜け出して回転円盤２が通常の速度で回転されるので、装飾体６も通常の速度で回転される。
【００１８】
なお、遊びＳを設ける手段として、図１１〜１３に示すようなＤカット軸を用いることができる。Ｄカット軸７は主動ギア１の中心孔８１に差し込まれている。中心孔８１は、１８０°より広角に形成された前側側面８８と後側側面８９とを有する。通常の回転状態においては、図１１に示すように、Ｄカット軸７の平坦面７１と中心孔８１の前側側面８８が当接されていて、主動ギアは時計回り方向に回転されている。クリックストップ機構が作動した瞬間中心孔８１は回転されて、図１２の中間状態を経て、図１３のＤカット軸７の平坦面７１に中心孔８１の後側側面８９が当接された状態に瞬時に移行する。図１３の状態では主動ギア８は回転されないので、平坦面７１が中心孔８１の前側側面８８に当接されるまでの時間主動ギア８の回転は停止される。これによって、回転体２及び装飾体６の回転も停止されることとなる。
以上のようなＤカット軸７を用いたもののほか、スプラインシャフトとスプライン軸受けなどの手段を用いることができる。
【００１９】
なお、レバー５を、自重によっても付勢することができるが、バネなどの弾性体で付勢するのが、突起５２と係合凹部２４の瞬時の係合を確実に行うことができるので、望ましい。
【符号の説明】
【００２０】
１  主軸、２  回転体、３  従動ギア、６  装飾体、８  主動ギア、８１  中心孔、Ｓ  遊び、
【図１】
0005429663.tif 000002
【図２】
0005429663.tif 000003
【図３】
0005429663.tif 000004
【図４】
0005429663.tif 000005
【図５】
0005429663.tif 000006
【図６】
0005429663.tif 000007
【図７】
0005429663.tif 000008
【図８】
0005429663.tif 000009
【図９】
0005429663.tif 000010
【図１０】
0005429663.tif 000011
【図１１】
0005429663.tif 000012
【図１２】
0005429663.tif 000013
【図１３】
0005429663.tif 000014